(57)【要約】【課題】従来のキッチンを、フレーム部により構成されるキッチンに新たにリフォームする場合においては、配管位置を修正しなければならず、大掛かりな床工事が必要となり、時間とコストがかかるといった問題を有していた。【解決手段】配管専用キャビネットを左右の側板と、上下の前框と、上下の後框と、全面を隠蔽する幕板と、で形成した。【選択図】図１
2007020973.tif 000002
【特許請求の範囲】
【請求項１】
少なくとも流し台を備える天板及び内部に配管類を配設可能な配管用空間部が形成された脚部からなるフレーム部により構成されるキッチンの前記天板下方に配置されるキャビネットであって、
前記キャビネットは、前記フレーム部とは別体に形成され、左右の側板と、上下の前框と、上下の後框と、前面を隠蔽する幕板と、で形成されている配管専用キャビネット。
【請求項２】
前記下側の後框は、キャビネットの内部から着脱可能となっている請求項１に記載の配管専用キャビネット。
【請求項３】
配管類を接続した後、請求項１または２に記載の配管専用キャビネットを前記天板下方に設置する施工方法。
【請求項４】
請求項１または２に記載の配管専用キャビネットを使用したキッチン。
【発明の詳細な説明】
【技術分野】
【０００１】
本発明は少なくとも流し台を備える天板及び内部に配管類を配設可能な配管用空間部が形成された脚部からなるフレーム部により構成されるキッチンに使用される、配管専用キャビネットおよび該キャビネットの施工方法および該キャビネットを使用したキッチンに関するものである。
【背景技術】
【０００２】
従来、この種のシステムキッチンとしては、流し台やガスコンロ等が設けられているフレーム部と、物品が収納可能なキャビネット部とが分離独立して構成されていて、キャビネット部は、フレーム部の天板下方に形成された空間部に対して出し入れ自在の複数個の収納ユニット体からなり、物品の収納位置を自在に変更できるようになっているとともに、流し台の排水管や給水管、ガスコンロのガス供給管等の配管類は全てフレーム部の脚部内に隠蔽収納されており、これら配管類のメンテナンスや点検作業等は、前記脚部の側面の所定箇所に形成された開口部を介して行うことができるもの等がある（例えば、特許文献１参照）
【０００３】
【特許文献１】特開２００３−１０２５６８号公報
【発明の開示】
【発明が解決しようとする課題】
【０００４】
しかし前記特許文献１のシステムキッチンにおいては、流し台の排水管や給水管、ガスコンロのガス供給管等の配管類は全てフレーム部の脚部内に隠蔽収納する必要があるため、配管類は脚部内の床面から立ち上げなければならない。したがって、図４に示すような従来のキッチンを、この種のキッチンに新たにリフォームする場合においては、配管位置を修正しなければならず、大掛かりな床工事が必要となり、時間とコストがかかるといった問題を有していた。
【０００５】
この発明は、かかる現状に鑑み創案されたものであって、その目的とするところは、すでに配管がなされているリフォームにも、この種のシステムキッチンを短時間、低コストで設置可能とする配管専用キャビネットを提供することである。
【課題を解決するための手段】
【０００６】
上記目的を達成するため、請求項１に記載の配管専用キャビネットにあっては、少なくとも流し台を備える天板及び内部に配管類を配設可能な配管用空間部が形成された脚部からなるフレーム部により構成されるキッチンの前記天板下方に配置されるキャビネットであって、
前記キャビネットは、前記フレーム部とは別体に形成され、左右の側板と、上下の前框と、上下の後框と、全面を隠蔽する幕板と、で形成されている。
【０００７】
請求項２に記載の発明にあっては、請求項１に記載の配管専用キャビネットを技術的前提とし、前記下側の後框は、キャビネットの内部から着脱可能となっている。
【０００８】
請求項３に記載の発明にあっては、配管類を接続した後、請求項１または２に記載の配管専用キャビネットを前記天板下方に設置する施工方法である。
【０００９】
請求項４に記載の発明にあっては、請求項１または２のいずれかに記載の配管専用キャビネットを使用したキッチンである。
【発明の効果】
【００１０】
以上説明したように、請求項１に記載の配管専用キャビネットにあっては、少なくとも流し台を備える天板及び内部に配管類を配設可能な配管用空間部が形成された脚部からなるフレーム部により構成されるキッチンの前記天板下方に配置されるキャビネットであって、前記キャビネットは、前記フレーム部とは別体に形成され、左右の側板と、上下の前框と、上下の後框と、全面を隠蔽する幕板と、で形成したので、例えば流し台の排水管や給水管、ガスコンロのガス供給管等の配管床立ち上げ位置がすでに決まっているリフォームであっても、配管が立ち上がっている位置に本発明の配管専用キャビネットを設置することにより、脚部の配管用空間部から新たに配管を立ち上げ直すといった大規模なリフォームではなく、安価にこの種のキッチンを設置することができる。また、前面の幕板を他のキャビネットと意匠を合わせることで、並べて設置してもデザイン的に劣ることがなく、さらに幕板は着脱可能としておけば、点検作業も容易に行える。
【００１１】
請求項２に記載の配管専用キャビネットにあっては、前記下側の後框は、キャビネットの内部から着脱可能となっているので、配管類を既存の立ち上げ位置から背面方向へ向け、さらに左右いずれかの脚部の配管用空間部へ向け、キッチンの水栓、排水トラップ等に接続する配管作業を行ったあとであっても、後框の下側を外して、床にそって滑らせることにより、本発明のキャビネットを設置することができる。また、前記後框の下側は、キャビネットの内部から着脱可能となっているので、他のユニット体や左右の客部が隣接していても、本発明のキャビネットを設置した後に再び後框を取り付けることができる。したがって、キャビネットの強度を損なうことなく、しかも容易にこの種のキッチンを設置することができる。
【００１２】
請求項３に記載の発明にあっては、配管類を接続した後、請求項１または２に記載の配管専用キャビネットを使用した施工方法であるので、この種のキッチンを安価に設置でき、施工も容易である。
【００１３】
請求項４に記載の発明にあっては、請求項１または２に記載の配管専用キャビネットを使用したキッチンであるので、この種のキッチンを安価に設置できる。
【発明を実施するための最良の形態】
【００１４】
以下、添付図面に示す発明の実施例１に基づき、この発明を詳細に説明する。
【実施例１】
【００１５】
図１は、フレーム部に収納ユニット体を収納する前の状態を示す本発明のシステムキッチン１の全体像を示す斜視図である。図２は、配管専用キャビネットＫの斜視図である。図３は配管専用キャビネットＫを設置した後の状態を示す斜視図である。
【００１６】
図１により第１実施例におけるシステムキッチン１の概要について説明すると、システムキッチン１は、上面の正面視右側に流し台６、中央部に調理部７、左側にコンロ部８を備える天板４と、天板４の左右端部側に配設され、内部に配管用空間部Ｐが形成された中空状の脚部５ａ、５ｂとからなるフレーム部２と、天板４下方に形成された空間部内に組み込み可能であり、前面から物品を出し入れ自在である２個のユニット体１８、１９と本発明の配管専用キャビネットＫからなるキャビネット部３からなる。
【００１７】
本実施例におけるシステムキッチン１では、流し台６の蛇口９に接続される温水管１２
、冷水管１３、および流し台６の排水口１０に接続される排水トラップ１４からなる水道管１１と、ガスコンロ８に接続されるガス管１５等の配管類が、左右端部側の脚部５ａ、５ｂ内部の配設用空間部Ｐに配設されている。
【００１８】
流し台６の蛇口９、排水口１０に接続される温水管１２、冷水管１３、排水トラップ１４からなる水道管１１は、右端側脚部５ａの内部の配管用空間部Ｐに配設され、床面を貫通して床下から外部の図示しない温水管、冷水管、排水管にそれぞれ連通接続されている。右端側脚部５ａの内部において、温水管１２および冷水管１３には、それぞれ管内の水流を開閉自在な温水管バルブ１２ａ、冷水管バルブ１３ａが設けられている。
【００１９】
またコンロ部８に接続されるガス管１５は、左端側脚部５ｂの内部の配管用空間部Ｐに
配設され、床面を貫通して床下から外部の図示しないガス本管に連通接続されている。左端側脚部５ｂの内部において、ガス管１５には、管内のガスの流れを開閉自在なガス管バルブ１５ａが設けられている。
【００２０】
図２に示すように、この発明の配管専用キャビネットＫは左右の側板２１ａ、２１ｂと、上下の前框２２ａ、２２ｂと、上下の後框２３ａ、２３ｂと、前面を隠蔽する幕板２４と、幕板２４と上前框２２ａとを固定するファスナー２５ａ、２５ｂとから構成されている。また、下側後框２３ｂは、キャビネット内側から取付片２３ｂ´により左右の側板２１ａ、２１ｂに螺子止めされている。
【００２１】
図３に示すように、左右の脚部５ａ、５ｂの間には排水床立ち上げ管３１が立設されており、排水床立ち上げ管３１には第１エルボ管３２ａ、第１直管３２ｂ、第２エルボ管３２ｃ、第２直管３２ｄ、第３エルボ管３２ｅ、第３直管３２ｆ、第４エルボ管３２ｇ、排水トラップ１４が順次水密的に接続されている。
【００２２】
ここで、本発明の配管専用キャビネットの設置手順を説明する。まず、排水床立ち上げ管３１が立設しているキッチン取付位置に、排水立ち上げ管３１が左右脚部５ａ、５ｂの間にくるようにフレーム部２を配置する。その後、排水床立ち上げ管３１と排水トラップ１４の間を上記複数のエルボ管又は直管で水密的に接続する。ここで、第１エルボ管３２ａ、第１直管３２ｂの上端は後から設置する配管専用キャビネットＫの上側後框の下端より下方にくるように管の寸法を選択することが望ましい。
【００２３】
次に、配管専用キャビネットＫの下側後框２３ｂを取り外す。さらに排水床立ち上げ管３１、第１エルボ管３２ａ、第１直管３２ｂが左右の側板２１ａ、２１ｂの間に入るように配管専用キャビネットＫを設置する。このとき、キッチン前方側から後方側へ床上を滑らせて配置すると容易に設置できる。設置が終わると、再び下側後框２３ｂを配管専用キャビネットＫに取り付ける。ここで、下側後框２３ｂは取付片２３ｂ´によりキャビネット内側から左右の側板２１ａ、２１ｂに螺子止めされているので、他のユニット体や左右の脚部が隣接しても取付が可能である。
【００２４】
このように構成したので、強度を維持することができ、配管類は下側前框と下側後框の間から立ち上げ、上側後框と下側後框の間から背面方向に通すことができるため、現場での加工も不要で、施工時間も短縮される。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
例えば上記実施例では、下側後框２３ｂは取付片２３ｂ´によりキャビネット内側から左右の側板２１ａ、２１ｂに螺子止めされているが、ダボやファスナーによる固定であっても構わないことはいうまでもない。
【図面の簡単な説明】
【００２７】
【図１】フレーム部に収納ユニット体を収納する前の状態を示す本発明の実施例１としてのシステムキッチンの全体像を示す斜視図である。
【図２】配管専用キャビネットＫの斜視図である。
【図３】配管専用キャビネットＫを設置した後の状態を示す斜視図である。
【図４】従来のシステムキッチンを示す斜視図である。
【符号の説明】
【００２８】
Ｋ              配管専用キャビネット
１              システムキッチン
２              フレーム部
３              キャビネット部
４              天板
５ａ            右端側脚部
５ｂ            左端側脚部
６              流し台
７              調理部
８              コンロ部
１１            水道管
１２ａ、１３ａ  温水管バルブ、冷水管バルブ
１４            排水トラップ
２１ａ、２２ｂ  側板
２２ａ、２２ｂ  前框
２３ａ、２３ｂ  後框
２４            幕板
２５ａ、２５ｂ  ファスナー
３２            排水管
５１            キッチン
【図１】
2007020973.tif 000003
【図２】
2007020973.tif 000004
【図３】
2007020973.tif 000005
【図４】
2007020973.tif 000006